Podtech/llm-jp-corpus-v4-ja_patent huggingface dataset:
(57)【要約】      （修正有）【課題】ゴムボールのバルブコアに接触してもアレルギー起こさないように工夫したゴムボール用のバルブコアを提供する。【解決手段】ゴムボール用のバルブコア１は、ゴムボール２の穴３内に納まる上部分５と、ゴムボールの内面に付けられたバルブホルダ４に嵌め込まれる円形フランジ付下部分６と、中心に設けられた針受け穴７と、針受け穴から延び、針からの圧搾空気のゴムボールへの注入によって開くスリット８と、を有する。上部分５を合成ゴムとし、下部分６をラテックスゴムとする。【選択図】図２
0003154626.tif 000002
【実用新案登録請求の範囲】
【請求項１】
ゴムボールの穴内に納まる上部分と、ゴムボールの内面に付けられたバルブホルダに嵌め込まれる円形フランジ付下部分と、中心に設けられた針受け穴と、針受け穴から延び、針からの圧搾空気のゴムボールへの注入によって開くスリットとを有するバルブコアにおいて、上部分を合成ゴムとし、下部分をラテックスゴムとしたことを特徴とするゴムボール用のバルブコア。
【考案の詳細な説明】
【技術分野】
【０００１】
本考案は、子供達が手を使って行う球技に使用されるゴムボール、特にそのバルブコアの改良に関する。
【背景技術】
【０００２】
このように手で扱う球技、例えば、ドッチボール、バスケットボール、ソフトバレーボール、ハンドボール（いずれも非公式）に使用されるゴムボールは、全体がブチルゴムのような合成ゴムで作られる。一方ゴムボールのバルブコアは、ボールへの圧搾空気の注入及び封じ込めを行うチェックバルブとして機能するようにラテックス、つまり天然ゴムで作られる。バルブコアは、ゴムボールに明けられた穴から差し込まれて、ゴムボールの内面に付けられた合成ゴム製のバルブホルダに嵌め込まれる。バルブコアの一部は、ゴムボールの穴内に留まってボールの表面に露出する。
【０００３】
したがって、球技中、露出したバルブコアに手が触れたり、或いは圧搾空気を注入する場合に針をバルブコアに差し易くするためにバルブコアを濡らす際にバルブコアに触れる必要があったりする。そのような場合に、ゴムによるアレルギー、ラテックスアレルギーが起こることが知られている。ラテックスアレルギーは、バルブコアの原料であるゴムのタンパク質がアレルゲン（原因物質）となって起こることも知られている。
【考案の開示】
【考案が解決しようとする課題】
【０００４】
本考案の目的は、ゴムボールのバルブコアに接触してもアレルギーを起こさないように工夫した、ゴムボール用のバルブコアを提供することにある。
【課題を解決するための手段】
【０００５】
この目的は、本考案によれば、ゴムボールの穴内に納まる上部分と、ゴムボールの内面に付けられたバルブホルダに嵌め込まれる円形フランジ付下部分と、中心に設けられた針受け穴と、針受け穴から延び、針からの圧搾空気のゴムボールへの注入によって開くスリットとを有するバルブコアにおいて、上部分を合成ゴムとし、下部分をラテックスゴムとしたことを特徴とするゴムボール用のバルブコアを提供することによって達成される。
【考案の効果】
【０００６】
本考案によれば、ゴムボールの穴内に納まる上部分はボールの表面に露出していて、球技中手がこれに触れるけれども、ゴムボールと同様の合成ゴムで作られているため、アレルギーを起こすことはない。またバルブコアの下部分は、ラテックスゴムで作られているから通常のバルブコアと同様に圧搾空気の注入、閉じ込めを行うバルブ機能を遺憾なく発揮する。
【図面の簡単な説明】
【０００７】
【図１】本考案によるバルブコアを有するゴムボールの斜視図である。
【図２】本考案によるバルブコアを備えたゴムボールの拡大部分断面図である。
【図３】本考案によるバルブコアの斜視図である。
【図４】本考案によるバルブコアの拡大断面図である。
【考案を実施するための最良の形態】
【０００８】
図を参照すると、本考案によるバルブコア１は、ドッチボール、バスケットボール、ソフトバレーボール、ハンドボール（いずれも非公式）に使用されるゴムボール２のいずれにもチェックバルブとして用いられる。ゴムボール２は、全体が、触れてもアレルギーを起こさないブチルゴムのような合成ゴムで作られる。一方ゴムボールのバルブコア１は、図２に示すように、ゴムボール２に明けられた穴３から差し込まれて、ゴムボールの内面に付けられた合成ゴム製のバルブホルダ４に嵌め込まれる。バルブコアの一部は、ゴムボールのバルブコア穴３内に留まってボールの表面に露出する。
【０００９】
詳述すると、図２に示すように、本考案によるバルブコア１は、ゴムボール２の穴３内に納まる、合成ゴムの上部分５と、ゴムボール２の内面に付けられたバルブホルダ４に嵌め込まれるラテックスゴムの円形フランジ付下部分６と、中心に設けられた針受け穴７と、針受け穴７から延び、針（図示せず）からの圧搾空気のゴムボールへの注入によって開くスリット８（図３及び４）と、を有する。バルブコア１は、これを構成する合成ゴムの上部分５とラテックスゴムの円形フランジ付下部分６が二体として成形されて互いに接合され、その状態で加硫することによって一体の製品として提供される。好ましい実施形態では、上部分５は円形フランジ付下部分６の中心部に入り込んだ一体の筒部８を有し、針受け穴７は、上部分５から筒部８内に延びる。
【００１０】
本考案によれば、ゴムボールの穴内に納まり、ボールの表面に露出していているバルブコアの上部分がゴムボールと同様の合成ゴムで作られているため、それに触れてもアレルギーを起こすことはない。バルブコアの円形フランジ付下部分は、ラテックスゴムで作られているから、ゴムボールへの圧搾空気の注入及び閉じ込めに関し在来のバルブコアと同様に機能する。
【符号の説明】
【００１１】
１  バルブコア
２  ゴムボール
３  穴
４  バルブホルダ
５  合成ゴムの上部分
６  ラテックスゴムの円形フランジ付下部分
７  針受け穴
８  スリット８
【図１】
0003154626.tif 000003
【図２】
0003154626.tif 000004
【図３】
0003154626.tif 000005
【図４】
0003154626.tif 000006
(57)【要約】      （修正有）【課題】貯水部内の水量を遠くからでも一目で確認できる水量計を提供する。【解決手段】植栽容器の植栽部内壁面に添ってパイプを立ち上げ、このパイプ内に先端部に遠くからでも目立つ色彩の色花を取り付ける。下端部には貯水部に浮ぶフロート材を取り付け、茎部を形成している棒状管を差込固定する。貯水部の水位高に合せて、色花が開花、つぼみ状態、散花状態と変化する。【選択図】図１
0003154609.tif 000002
【実用新案登録請求の範囲】
【請求項１】
棒状管の先端に軟質材で形成した色花を取り付け、また該棒状管の下部には、フロート材を取り付け、貯水量の変化でフロートが上下し、色花の変化状態により植栽容器内の水量を確認できることを特徴とする色花式水量計。
【考案の詳細な説明】
【技術分野】
【０００１】
本考案は、容器内に貯水部を形成する植栽箱や植栽鉢内の貯水量を外部から一目で確認することが可能な水量計ゲージに関するものである。
【背景技術】
【０００２】
近年、都会におけるヒートアイランド現象が社会問題になるにつれて、緑化に対する関心が高まり、屋上や壁面等のコンクリート面に潅水設備と緑化装置の組み合わせで緑化を図る建物が年々増加している。
【０００３】
しかし、潅水設備との組み合わせによる緑化は、潅水設備だけでも高額な費用が掛かるため、緑化装置内を貯水部と植栽部に分け、貯水部の水を吸水材にて吸い上げ、植栽部へ給水する毛細管現象を利用しての簡易的な潅水装置による緑化（特許文献１・特許文献２）が増加しているが、貯水部の水管理が不備で水枯してしまうことが少なくなかった。
【先行技術文献】
【特許文献】
【０００４】
【特許文献１】特開２００４−１８０５７５
【特許文献２】特開２００６−２３７２０２
【考案の概要】
【考案が解決しようとする課題】
【０００５】
従来の水管理方法は、透明パイプを容器外面に立ち上げての水量確認、浮球を利用しての水量計、水位センサーを利用する電気式等の水量計を用いたが、水量計に近づかなければ水位を確認することができないため、つい植物の状態を目視に頼る水管理となりがちであり、水量計による管理システムを有していなかった為必要な水を十分供給することができず枯らしてしまうことも少なくないという問題があった。そこで、わざわざ水量計に近づかなくても一目で貯水量が確認できる水量計の提供。
【課題を解決するための手段】
【０００６】
本考案は、植栽容器の植栽部より内壁面に添ってパイプを立ち上げ、このパイプ内に茎部となる棒状管を通し、上端部に遠くからでも目立つ色彩の色花を取り付け、下端部には貯水部に浮ぶフロート材を取り付けて茎部を形成している棒状管を差込固定し、水位高に合せ色花が開花、つぼみ状態、散花状態と変化することにより、植栽容器内に形成された貯水部内の水量を遠くからでも一目で確認できる色花式水量計。
【０００７】
なお、水量計の色花は、ナイロンシート等適宜の素材を細い短冊状に切込み花弁とし、色花を形成する。例えば、シートを短冊状に切込みこの短冊部上部から一定間隔で赤、黄、青の順で着色または、それぞれ個別の色彩シートを短冊状に切込み重ね、これを丸め短冊の基部を茎部の棒状管に差込粘着固定し色花とする。
【考案の効果】
【０００８】
植栽箱や植栽鉢に取り付けられた色花式水量計は、遠くからでも一目で色花の開花状態やつぼみ状態を見ることができ貯水部内の水量状態を確認できるため、水不足により植栽植物が生育不全となり、枯死に至るといった恐れを防止できる。
【０００９】
また、野外や室内に配置された植栽容器に設置された色花式水量計は、植栽される植物と調和し、見栄え良く植物とともに景観の改善を図れる水量計である。
【図面の簡単な説明】
【００１０】
【図１】貯水量が満水時の色花式水量計を示す斜視図である。
【図２】貯水量が半水時の色花式水量計を示す斜視図である。
【図３】貯水量が渇水時の色花式水量計を示す斜視図である。
【図４】植栽容器に色花式水量計を設置する手順を示す説明図である。
【図５】色花式水量計を設置した状態を示す斜視図である
【考案を実施するための形態】
【００１１】
植栽容器内を貯水部と植栽部に分け、該植栽部の底部から植栽容器上部まで内壁面に添って垂直にパイプを立ち上げ、このパイプ内に茎部となるプラスチック等適宜の素材管を通し、先端部に色花を形成し、下部には発泡スチロール等適宜の素材によるフロートを形成し、貯水部の水位高に合せ満水時には色花が開花状態に、渇水時には色花がパイプ内に収納される状態に、プラスチック等適宜の素材管の長さを調整固定して色花式水量計とする。
【実施例】
【００１２】
以下、添付図面に従って一実施例を説明する。
図１は、色花式水量計１を示すもので、２は軽量で耐久性を持つプラスチック等適宜の素材管にて形成された色花の茎部、３は色花で貯水部の最高水位高の長さでナイロンシート等適宜の素材を使って花弁となる部分を短冊状に切込み、この短冊部上部から一定間隔で例えば、赤、黄、青の順で着色し、これを丸め茎部２の上部に短冊の基部を差込粘着固定し色花３とする。
【００１３】
図２は、図１で貯水部の最高水位高の長さで色花３を形成されているので、貯水部内が渇水状態となると該色花３がパイプ４内に収納され、植栽容器から見えなくなり一目で植栽容器内に水が無いことが分かる状態を示したものである。
【００１４】
図３は、色花３を形成している短冊の青色と黄色一部がパイプ４内に収納され、残りの黄色一部と赤色の２色による５分咲き状態となり、貯水部内の水位が約半分ある状態を示したものである。ちなみに赤色のつぼみ状態のときは、満水時の約３分の１水量となるので給水の目印となる。
【００１５】
図４は、貯水部５と植栽部６に分けられた植栽容器７内の植栽部６の底部から植栽容器上部まで内壁面に添って、色花が納まる太さの樹脂等適宜の素材管パイプ４を垂直に内壁面に固定し、このパイプ４内に茎部２となるプラスチック等適宜の素材管を通し、該茎部２先端部に色花３を形成し、下部には貯水部５内にフロートの発泡スチロール８に貯水部の水位高に合せ満水時には色花が開花状態に、渇水時には色花がパイプ４内に収納される状態に茎部２の長さを調整固定して色花式水量計１を設置する。
【００１６】
図５は、図４で色花式水量計が設置された植栽容器に草花や樹木が植栽され、色花３が咲き貯水部が満水状態を示す実施例の完成図である。
【産業上の利用可能性】
【００１７】
花の形をした色花式水量計は、設置箇所に調和し一目で貯水量を確認でき、低価格で簡単に設置が可能で、これからの植栽容器水量計として利用される可能性の高いものである。
【符号の説明】
【００１８】
１    色花式水量計
２    茎部
３    色花
４    パイプ
５    貯水部
６    植栽部
７    植栽容器
８    発泡スチロール
【図１】
0003154609.tif 000003
【図２】
0003154609.tif 000004
【図３】
0003154609.tif 000005
【図４】
0003154609.tif 000006
【図５】
0003154609.tif 000007
(57)【要約】      （修正有）【課題】机やコタツを少しだけ高くしたい時、机やコタツの脚の太さに関わりなく使用できて、ぶれることなく、又、差し込み、抜き外しだけで、簡単に着け外しができて、且つ、机やコタツを持ち上げても、移動しても、外れることのない、机やコタツの脚継ぎを提供する。【解決手段】底厚で、内空の底面がすり鉢状で、上方が開放した内空が円柱型の本体１の内壁に、つなぎ部３と支持爪４が接するように、弧状ないしは波状に弯曲した弯曲爪５と、まっすぐな支持爪４を数本ずつ有する櫛形板バネ２を、長辺方向に、弯曲爪５の膨らみが向かい合うように丸めて、爪先から本体１の内空に差し込んで装着する。【選択図】図１
0003209703.tif 000002
【実用新案登録請求の範囲】
【請求項１】
金属や合成樹脂で作った長辺が本体１の内周より多少短い長さの長方形の板バネの一方の長辺部をつなぎ部３として小巾に残しその長辺に直角に巾が一定になるようにあるいは一本おきに巾が一定になるように数本ないし十数本の切れ目を対応辺まで入れて作った数本ないし十数本プラス一本の爪を交互にまっすぐなままの支持爪４と弧状又は波状の膨らみが板バネ面の一方の側に位置するようにして支持爪４と同じないしそれより短い弯曲爪５にした櫛形板バネ２を長辺方向に弯曲爪５の膨らみが内側になるように丸めて爪先の方から木合成樹脂陶器金属等の固体材料で作った内径が一般的な机やコタツの脚の直径よりある程度大きく底厚で内空底面がすり鉢状で上方が開放した内空が円柱型の本体１の内空に差し込んで内壁につなぎ部３と支持爪４が接するように櫛形板バネ２を装着した机コタツ脚継ぎ
【考案の詳細な説明】
【技術分野】
【０００１】  本考案は、机やコタツの脚継ぎに関するものである。
【考案の概要】
【考案が解決しようとする課題】
【０００２】  机やコタツを少しだけ高くしたい時、机やコタツの脚の太さに関わりなく使用できて、ぶれることなく、又、差し込み、抜き外しだけで、簡単に着け外しができ、且つ、机やコタツを持ち上げても、移動しても、外れることのない、机やコタツの脚継ぎを提供する。
尚、上部を開放した内空が円柱型の本体１に、数本ないし十数本の爪を有する櫛形板バネ２を長辺方向に丸めて、爪先から差し込んで装着するのであるが、この櫛形板バネ２は、本体の内径がある程度変わっても適用できるものにする。
【解決するための手段】
【０００３】（イ）  一般的な机やコタツの脚よりある程度太い内径で、底厚にした、内空底面がすり鉢状で、上部を開放した、内空が円柱型の本体１を、木や合成樹脂、陶器、金属等の個体材料で作る。
（ロ）  他方、金属とか合成樹脂製で、長辺が、本体１の内周より多少短い、長方形の板バネの一方の長辺部を、小巾のつなぎ部３として残し、その長辺に直角に、巾が一定になるように、あるいは一本おきに巾が一定になるように、数本ないし十数本の切れ目を対応辺まで入れて、数本ないし十数本プラス一本の長さの等しい爪を作って、櫛形をした板バネにする。
（ハ）  そして、爪を一本おきに、まっすぐなままの支持爪４と、板バネ面の一方方向に、弧状あるいは波状の膨らみが向かうように弯曲させ、長さが支持爪４と同じないしはそれより短い弯曲爪５を、数本ずつ有する櫛形板バネ２を作る。
（ハ）  次に、弯曲爪５の弧状あるいは波状の膨らみが、つなぎ部３・支持爪４の内側になるように、櫛形板バネ２を長辺方向に丸めて、爪先から本体１の内空に差し込んで、つなぎ部３と支持爪４が本体１の内壁に接するように装着する。
（ニ）  尚、場合によっては、つなぎ部３の全体あるいは両端部、及び支持爪４を、本体１の内径の曲率より一回り大きい範囲で、長辺方向を丸めた形態にしておいてもよい。
（ホ）  又、本体１の底厚は、厚さを調節できる機能を付加しておくのもよい。
（ヘ）  尚、櫛形板バネ２がより抜けにくいように、本体１の内空上端の内周を、わずかに狭くして、その下に櫛形板バネ２を収めるようにするのもよい。
【考案の効果】
【０００４】  机やコタツの各脚に該品を差し込むことにより、机やコタツを、該品の底厚分だけ高くして使用することができる。そして、持ち上げても、あるいは移動しても、該品が簡単に外れることはない。しかも、該品を外す時は、机やコタツの脚から引き抜くだけなので、使用がきわめて簡単である。
その際、通常、机やコタツの脚に伴って櫛形板バネ２が抜けることはない。又、机やコタツの脚の径が変わっても内空底面がすり鉢状なので、該品がぶれたりしない。
そして、製造もとても簡単で、安価でできる。
又、本体１の内周がある程度変わっても、同一の櫛形板バネ２を装着して使用することができる。
【図面の簡単な説明】
【０００５】
【図１】  本考案の斜視図（見取り図）である。
【図２】  櫛形板バネの正面図である。
【図３】  櫛形板バネの左側面図である。
【考案を実施するための形態】
【０００６】（イ）  該品は机やコタツの脚の直径が、該品の内壁に接している、櫛形板バネ２のつなぎ部３の成す内径より小さくて、弯曲爪５の弯曲の膨らみが成す内径より大きいものに適用できる。
（ロ）  該品を机やコタツの脚に差し込んで、該品の底厚分だけ机やコタツを高くして使用する。外す時は該品を引き抜く。その際、該品は、本体１に櫛形板バネ２を丸めて入れてあるので、机やこたつの脚にかかる圧より、本体１の内壁にかかる圧の方が大きく、且つ、つなぎ部３と支持爪４が本体１内壁に接する面積も大きいので、通常、該品を引き抜く時、櫛形板バネ２が脚に伴って抜けることはない。
（ハ）  又、本体１の内空底面がすり鉢状なので、使用時、脚にきっちり差し込めば、該品がぶれることはない。
（ニ）  本体１の外形は、靴型とか台形とかであっても、こだわるものではない
（ホ）  本体１の内空の径が変わっても、同一の櫛形板バネ２を適用することができる。
（ヘ）  本体１の底に、高さが調節できる機能を付加しておくとその分便利さが増す。
【符号の説明】
【０００７】１  本体
２  櫛形板バネ
３  つなぎ部
４  支持爪
５  弯曲爪
【図１】
0003209703.tif 000003
【図２】
0003209703.tif 000004
【図３】
0003209703.tif 000005
(57)【要約】      （修正有）【課題】紙製であって、しかも破損しにくく、日焼け変色の心配もない紙の指輪を提供する。【解決手段】柔らかい紙を紙縒って、無数の紙縒り目１が繋がった様な指輪状に形成された指輪であって、表面全体に透明感のあるニスを塗布してあり、そのニスの上から接着剤で固めた。【選択図】図１
0003209710.tif 000002
【実用新案登録請求の範囲】
【請求項１】
柔らかい紙を紙縒って、無数の紙縒り目が繋がった様な指輪状を成し、全体の表面に透明感のあるニスを塗布してあり、その上から接着剤で固めてあり、ニスを塗布する前に色模様を画き入れることが出来ることを特徴とする紙のの指輪。
【考案の詳細な説明】
【技術分野】
【０００１】  本考案は、チリ紙の様な柔らかい紙を用いて作られる指輪に関する。
【背景技術】
【０００２】  指輪やネックレス等に模様の描かれた紙や皮等を貼りつけ加工したものはあるが、指輪そのものを紙で作ったものは見当たらない。
【考案の概要】
【考案が解決しようとする課題】
【０００３】  紙製の指輪は、何かの拍子にすぐ破損したり、大事に長持ちさせても日焼け変色してしまった。
本考案は、その様な問題点を解決すべくなされたものである。
【課題を解決するための手段】
【０００４】  チリ紙の様な、耐久性はないが柔らかい紙を紙縒って、無数の紙縒り目が繋がった様な指輪状に形成してあり、全体の表面に、画面保護用ニスの様な透明感のあるニスを塗布してあり、そのニスの上から接着剤で固めてある。ニスを塗布する前に、色や模様を画き入れておくこともできる。
以上を特徴とする紙の指輪である。
【考案の効果】
【０００５】  接着剤で固めてあるので、耐久性がある。
接着剤の上に更に画面保護用のニスを塗布してあるので、日焼けや変色の心配がない。
絵具等で、色や模様を自由に画き入れることもできる。
【図面の簡単な説明】
【０００６】
【図１】  本考案の平面図
【考案を実施するための形態】
【０００７】  以下、本考案の実施の形態について説明する。
ちり紙、もしくは耐久性はないが柔らかい紙を紙縒って形成された無数の紙縒り目（１）の連結体の様なリング体であって、全体の表面に画面保護用ニスを塗布してあり、そのニスの上から全面を接着剤で固めてある。
特別の色や模様を入れたい時は、ニスを塗布する前に画き入れればよい。
金属の様に固めてあるので、使用中や嵌め外し時、あるいは何かの拍子に落としたりしても破損する心配もなく、耐久性に富んでいる。また、画面保護用の様なニスが塗布してあるので、日焼け・変色の心配もない。
【符号の説明】
【０００８】１  紙縒り目
【図１】
0003209710.tif 000003
(57)【要約】      （修正有）【課題】簡単かつ迅速に塑形棒を定形でき、作業時間を節減できる花卉植物用塑形棒コネクターを提供する。【解決手段】花卉植物用塑形棒コネクターのコネクター１は湾曲状を呈し、環境保護効果を備えるプラスチック材質により一体成形され、適当な強度と可撓性を備え、少なくとも一端の末端セクションには中空長孔１１を有し、塑形棒２の頂端と通し嵌めて結合され、塑形棒２を定形できる。適当な弧度を備えるため、花卉植物の花序を支えられる。【選択図】図３
0003209740.tif 000002
【実用新案登録請求の範囲】
【請求項１】
花卉植物用塑形棒コネクターであって、該コネクターは、湾曲状を呈し、環境保護効果を備えるプラスチック材質により一体成形され、適当な強度と可撓性を備え、少なくとも一端の末端セクションには、中空長孔を有し、塑形棒の頂端と通し嵌めて結合され、塑形棒を定形でき、適当な弧度を備えるため、花卉植物の花序を支えられることを特徴とする花卉植物用塑形棒コネクター。
【請求項２】
前記コネクター両端の末端セクションには、それぞれ中空長孔を有することを特徴とする請求項１に記載の花卉植物用塑形棒コネクター。
【請求項３】
前記コネクターは、花序の形状に応じて切り取られることを特徴とする請求項１に記載の花卉植物用塑形棒コネクター。
【考案の詳細な説明】
【技術分野】
【０００１】
本考案は花卉植物用塑形棒コネクターに関し、特に簡単かつ迅速に塑形棒を定形でき、作業時間を節減できる花卉植物用塑形棒コネクターに関する。
【背景技術】
【０００２】
一般に花卉植物においては、花梗の成長方向は変化するため、固定棒を花梗の一辺に配置し、花梗を固定棒に沿って上方へと成長させる。こうして、花梗は成長を定形され、株が開花すると、美しい花序を形成する。
【０００３】
上記の固定棒を、業界では塑形棒とも呼ぶ。かつては、可撓性金属線材により製造していたが、錆びることで花梗を傷つけることがあり、花卉の成長速度に影響を与えることもあった。そのため、改良が加えられ、プラスチック材質で金属線材を覆い塑形棒に成形することで、錆びを防止しながら、湾曲変化をつけることもできるようになった。しかし、花序に対応するため、塑形棒頂端を適当に湾曲定形させ、適当な弧度を形成する必要がある。これでは、絶えず繰り返し修正する作業が必要で、膨大な作業時間がかかるばかりか、塑形棒を繰り返し湾曲することで、外層のプラスチックが裂けてしまい、金属線材が錆びるという欠点が再燃してしまう。
【考案の概要】
【考案が解決しようとする課題】
【０００４】
前記先行技術には、作業時間が膨大で、しかも外層のプラスチックが裂けて金属線材が錆びるという欠点がある。
【課題を解決するための手段】
【０００５】
本考案は簡単かつ迅速に塑形棒を定形でき、作業時間を節減できる花卉植物用塑形棒コネクターに関する。
【０００６】
本考案による花卉植物用塑形棒コネクターは、湾曲状を呈し、環境保護効果を備えるプラスチック材質により一体成形され、適当な強度と可撓性を備え、少なくとも一端の末端セクションには、中空長孔を有し、塑形棒の頂端と通し嵌めて結合され、塑形棒を定形でき、適当な弧度を備えるため、花卉植物の花序を支えることができる。本考案による花卉植物用塑形棒コネクターは、簡単かつ迅速に塑形棒を定形でき、作業時間を節減できる。
【考案の効果】
【０００７】
本考案は少なくとも以下の長所と効果を備え、従来の構造に比べ著しい進歩を有する。
１.コネクター１は、プラスチック材質により製造するため、適当な強度と可撓性を備え、塑形棒２と緊密に通して結合でき、これにより塑形棒２頂部は定形され適当な弧度を備え、花序３３を支えることができ、簡単かつ迅速に塑形棒２を定形できるため、作業時間を節減できる。
２.コネクター１は湾曲状を呈し、両端末端セクションには中空長孔１１をそれぞれ有するため、２個の塑形棒２を結合定位でき、これにより塑形棒２頂部は適当な弧度を備え、使用において非常に便利である。
３.コネクター１は、湾曲状を呈し、花序３３の形状に応じて、その長さを任意に切り取ることができ、一本の塑形棒２としても使用でき、使用において適用範囲を拡大できる。
【図面の簡単な説明】
【０００８】
【図１】本考案第一実施形態の構造模式図である。
【図２】本考案第一実施形態と塑形棒結合の模式図である。
【図３】図２中Ａ部分の拡大断面図である。
【図４】本考案第二実施形態と塑形棒結合の模式図である。
【図５】本考案を花卉植物に使用した状態を示す模式図である。
【考案を実施するための形態】
【０００９】
［実施例１］
図１〜図３に示す通り、本考案花卉植物用塑形棒コネクター１は、環境保護効果を備えるプラスチック材質により一体成形され、湾曲状を呈する。プラスチック材質は、好ましくは、ナイロンに適した成分のガラスファイバーを添加する。これにより、コネクター１は適当な強度と可撓性を備える。コネクター１の少なくとも一端の末端セクションは、中空を呈し、長孔１１を有する。本実施形態では、末端セクション両端には、それぞれ中空長孔１１を有し、これにより２個の塑形棒２頂部は通して嵌められる。こうして、コネクター１と塑形棒２とは結合定位され、塑形棒２頂部は定形され、適当な弧度を備える。
【００１０】
図４、図５に示す通り、本考案の第二実施形態によるコネクター１０は、花序の形状に応じて、或いは実際の必要に応じて切りとられ、これにより別種の湾曲状とでき、一端だけの末端セクションは、中空長孔１０１を備える。これにより、塑形棒２頂部は通して嵌められ、コネクター１０と塑形棒２とは結合定位される。こうして、塑形棒２頂部は、適当な弧度を備える。
【００１１】
上述の第一、第二実施形態の構造により、本考案の使用時には、塑形棒２底端を固定端とし、植木鉢３（或いは他の固定フレーム上）の中に挿入して設置し、しかも花卉植物花梗３１の片側に配置する。二者は、固定クリップ３２により結合して固定される。塑形棒２頂部は、コネクター１と結合するため、適当な弧度を備え、花卉植物の花序３３を支え、花序３３の美しさと質感を高めることができる。
【００１２】
前述した本考案の実施形態は本考案を限定するものではなく、よって、本考案により保護される範囲は後述される実用新案登録請求の範囲を基準とする。
【符号の説明】
【００１３】
１、１０  コネクター
１１、１０１  長孔
２  塑形棒
３  植木鉢
３１  花梗
３２  固定クリップ
３３  花序
【図１】
0003209740.tif 000003
【図２】
0003209740.tif 000004
【図３】
0003209740.tif 000005
【図４】
0003209740.tif 000006
【図５】
0003209740.tif 000007
(57)【要約】      （修正有） 【課題】術後の患者や高齢者でも人の手を借りることなく自身で尿漏れパットが貼付可能な尿漏れパットホルダを提供する。【解決手段】布または紙で形成された長尺体１０と、長尺体の長手方向両側縁の両端部にそれぞれ設けられた固定部２１、２２、３１、３２と、を備え、一方の側縁に設けられた固定部２１は他方の側縁に設けられた固定部３１と係止可能であり、長尺体の略中央には、長手方向に沿って、尿漏れパット１００が貼付可能である。【選択図】図１
0003209722.tif 000002
【実用新案登録請求の範囲】
【請求項１】
布または紙で形成された長尺体と、長尺体の長手方向両側縁の両端部にそれ  ぞれ設けられた固定部とを備え、一方の側縁に設けられた固定部は他方の側 縁に設けられた固定部と係止可能であり、長尺体の略中央には、長手方向に沿って、尿漏れパットが貼付可能である尿漏れパットホルダ。
【考案の詳細な説明】
【技術分野】
【０００１】
本考案は使用者に着用される尿漏れパットホルダに関する。
【背景技術】
【０００２】
股関節・膝関節や内臓等の手術直後や高齢者は自身での下着（パンツ）の着脱 が困難になる場合がある。
【０００３】
この場合下着では上げ下げが困難な状況になるために、通常の下着に尿漏れパットを貼付したものを着用する。
【考案の概要】
【考案が解決しようとする課題】
【０００４】
しかしながら上記の場合であっても、術後の患者や高齢者は片足を上げることが困難ため、下着の更衣を看護師・介護士などに手つだってもらう必要がある。
【０００５】
本考案は術後の患者や高齢者でも人の手を借りることなく自身で更衣可能とすること。
【課題を解決するための手段】
【０００６】
布または紙で形成された長尺体と、長尺体の長手方向両側縁の両端部にそれぞ れ設けられた固定部と、を備え、一方の側縁に設けられた固定部は他方の側縁 に設けられた固定部と係止可能であり、長尺体の略中央には、長手方向に沿っ て、尿も手パットが貼付可能である尿漏れパットホルダとする。
【考案の効果】
【０００７】
本考案によれば両側縁の固定部を互いに離間させた状態（前身頃と後身頃が両 脇で分かれた状態）にして尻の下に配置して、一方の側縁を股の間から引き上 げ、両側縁 の固定部を互いに係止させる。これにより、横になった状態でも  体重移動の必要が無く自身で更衣が可能になる。
【図面の簡単な説明】
【０００８】
【図１】本考案の形態に係る尿漏れパットホルダの本体を説明する図
【図２】本考案の着用斜視図
【考案を実施するための形態】
【０００９】
布または紙で形成された長尺体１0と、長尺体の長手方向両側縁の両端部にそ  れぞれ設けられた固定部２１．２２．３１．３２と、を備え、一方の側縁に設 けられた固定部２１は他方の側縁に設けられた固定部３１と係止可能であり、 長尺体の略中央には、長手方向に沿って、尿漏れパット100が貼付可能である 尿漏れぱっとホルダ。
【００１０】
本実施形態によれば介助者・看護師の労働を軽減することも可能となる。
【図１】
0003209722.tif 000003
【図２】
0003209722.tif 000004
(57)【要約】      （修正有）【課題】構造が簡単で、シャフト駆動とベルト駆動ができるラジオコントロールカーのスーパーギヤデフを提供する。【解決手段】デフギヤの一端にリングスパーギヤとギヤを設け、デフギヤの上部にベベルギヤを設けた。【選択図】図２
0003209719.tif 000002
【実用新案登録請求の範囲】
【請求項１】
デフギヤ（１）の一端にスパーギヤ（２）とギヤ（４）を設けたスーパーギヤデフ。
【考案の詳細な説明】
【技術分野】
【０００１】この考案は、ラジオコントロールカーのデフギヤの一端に、リングスパーギヤとベベルギヤとギヤを設けたスーパーギヤデフに関するものである。
【背景技術】
【０００２】従来、リングギヤとスパーギヤは、別々になっていた。
【先行技術文献】
【０００３】
【特許文献１】
【非特許文献１】
【考案の概要】
【考案が解決しようとする課題】
【０００４】これは、次のような欠点があった。
（イ）車体の中心線上に、モーターと、デフギヤとバッテリーを縦長に設置できなかった。
（ロ）ベルト駆動の場合複雑の構造で、ベルトが２〜３本プーリーが４〜６個必要であった。
本考案は、以上の欠点をなくすためになされたものである。
【課題を解決するための手段】
【０００５】デフギヤ（１）の一端にリングスパーギヤと（２）とギア（４）を設けデフギヤの上部のベベルギヤ（３）を設ける。
本考案は、以上の構成よりなるスーパーギヤデフである。
【考案の効果】
【０００６】（イ）構造が簡単である。
（ロ  シャフト駆動とベルト駆動ができる。
（ハ）ベルト１本とプーリー２個でよい。
【図面の簡単な説明】
【０００７】
【図１】本考案の側面図である。
【図２】本考案の平面図である。
【考案を実地するための形態】
【０００８】  以下本考案を実施するための形態について説明する。デフギヤ（１）の一端にリングスパーギヤ（２）とギア（４）とベベルギヤ（３）を設けた。
本考案は以上のような構造である。
これを使用するときは、ギヤ（４）にスパーギヤを設けモーター（８）の一端にピニオンギヤ（７）とギヤ（６）を設けてモーター（８）を回転させる。
【符号の説明】
【０００９】１  デフギヤ
２  リングスパーギヤ
３  ベベルギヤ
４  ギヤ
５  スパーギヤ
６  ギヤ
７  ピニオンギヤ
８  モーター
【図１】
0003209719.tif 000003
【図２】
0003209719.tif 000004
(57)【要約】      （修正有）【課題】外部からの強い衝撃や刺激からの保護と使用時の利便性を有する、水絆創膏と絆創膏の両方の長所を併せ持った絆創膏を提供する。【解決手段】粘着性を予め有する光硬化型粘接着組成物２をシート状にしたものである。光硬化型粘接着組成物２からなる本シート単体でも、本シート片面にシート用基材１として不織布、編布やフィルムを貼り合せてもよい。光硬化型粘接着組成物２は粘着剤と光硬化樹脂との混合物である。光硬化型粘接着組成物２の粘着剤の材質としては、ゴム系粘着剤、アクリル系粘着剤、ウレタン系粘着剤、シリコーン系粘着剤などが使用されるが、好ましくは、アクリル粘着剤を使用される。【選択図】図１
0003209781.tif 000002
【実用新案登録請求の範囲】
【請求項１】
光照射により硬化する光硬化型粘接着組成物からなるシート状に成型させた絆創膏。
【請求項２】
光硬化型粘接着組成物の粘着剤としては、ゴム系粘着剤、アクリル系粘着剤、ウレタン系粘着剤、シリコーン系粘着剤の何れか１つの層もしくは複数の層からなる請求項１記載の絆創膏。
【請求項３】
光硬化型粘接着組成物の光硬化樹脂としては、ウレタンアクリレート樹脂、ポリエステルアクリレート樹脂、エポキシアクリレート樹脂、アクリルアクリレート樹脂、ビニルエーテルオリゴマー、グリシジルエーテルエポキシ樹脂、脂環式エポキシ樹脂、オキセタン樹脂、アクリル系マレイミド樹脂、ポリエステルマレイミド樹脂、ポリエーテルマレイミド樹脂の何れか１つもしくは複数の組合せからなる請求項１記載の絆創膏。
【請求項４】
自然光もしくはＵＶライト、ＬＥＤライトの光照射により硬化する請求項１記載の絆創膏。
【考案の詳細な説明】
【技術分野】
【０００１】
本考案は、傷や創に貼った絆創膏に光照射することで絆創膏本体を硬化させ、傷口を外部からの衝撃や刺激から保護することを目的とした光硬化型粘接着絆創膏に関するものである。
【背景技術】
【０００２】
指先や関節等にできるひび割れ等の傷や創の保護には水絆創膏や絆創膏と言った製品が良く使用されている。水絆創膏は、硬化後は外部からの強い衝撃や刺激からの保護に有用である一方、使用時には溶剤による傷への沁みや痛み、水絆創膏自体の液垂れ、水絆創膏自体の硬化時間が数分程度要すると言った課題があった。また、絆創膏は、傷や創を貼付直後から簡便に保護できるが、絆創膏自体が柔軟な素材のため、外部から強い衝撃や刺激を受けた場合、傷や創の保護には不十分であった。（特許文献1）。
【先行技術文献】
【特許文献】
【０００３】
【特許文献１】特開2011-26551号公報
【考案の概要】
【考案が解決しようとする課題】
【０００４】
従来の水絆創膏は外部からの強い衝撃や刺激からの保護には有用であるが、使用時の利便性で課題があった。また、絆創膏は使用時の利便性には有用であるが、強い衝撃や刺激からの保護には課題があった。本発明は、外部からの強い衝撃や刺激からの保護と使用時の利便性を有する、水絆創膏と絆創膏の両方の長所を併せ持った絆創膏を提供するものである。
【課題を解決するための手段】
【０００５】
本考案は、上記課題を解決するために、使用初期においては皮膚に対して適度な粘着力を有し、自然光もしくはＵＶライト、ＬＥＤライト等の光照射により硬化が進み、傷や創を保護するのに適度な硬度を有するように変化する光硬化粘接着組成物で形成されている。また、光硬化粘接着組成物はシート状に成型されており、任意の形状の傷や創に貼付することができる。光硬化粘接着組成物を光硬化させることで、短時間で外部からの衝撃や刺激から傷や創を保護する無溶剤タイプの光硬化型粘接着絆創膏である。
具体的には、
（１）光照射により硬化する光硬化型粘接着組成物からなるシート状に成型させた絆創膏。
（２）光硬化型粘接着組成物の粘着剤としては、ゴム系粘着剤、アクリル系粘着剤、ウレタン系粘着剤、シリコーン系粘着剤の何れか１つの層もしくは複数の層からなる（１）記載の絆創膏。
（３）光硬化型粘接着組成物の光硬化樹脂としては、ウレタンアクリレート樹脂、ポリエステルアクリレート樹脂、エポキシアクリレート樹脂、アクリルアクリレート樹脂、ビニルエーテルオリゴマー、グリシジルエーテルエポキシ樹脂、脂環式エポキシ樹脂、オキセタン樹脂、アクリル系マレイミド樹脂、ポリエステルマレイミド樹脂、ポリエーテルマレイミド樹脂の何れか１つもしくは複数の組合せからなる（１）記載の絆創膏。
（４）自然光もしくはＵＶライト、ＬＥＤライトの光照射により硬化する（１）記載の絆創膏。
【考案の効果】
【０００６】
本考案の光硬化型粘接着絆創膏は、従来の絆創膏ように簡便に傷や創に直接貼付することが出来て、自然光もしくは光照射治具を使用して光を当てることで短時間に硬化し、簡便かつ容易に外部からの衝撃や刺激から傷や創を保護することが可能となる。
【図面の簡単な説明】
【０００７】
【図１】本考案の光硬化型粘接着絆創膏の図である。
【考案を実施するための形態】
【０００８】
本考案は粘着性を予め有する光硬化型粘接着組成物をシート状にしたものである。光硬化型粘接着組成物からなる本シート単体でも、本シート片面にシート用基材として不織布、編布やフィルムを貼り合せてもよい。光硬化型粘接着組成物は粘着剤と光硬化樹脂との混合物である。
本考案の光硬化型粘接着組成物の粘着剤の材質としては、ゴム系粘着剤、アクリル系粘着剤、ウレタン系粘着剤、シリコーン系粘着剤などが使用されるが、好ましくは、アクリル粘着剤を使用される。
本考案の光硬化型粘接着組成物の光硬化樹脂としては、ウレタンアクリレート樹脂、ポリエステルアクリレート樹脂、エポキシアクリレート樹脂、アクリルアクリレート樹脂、ビニルエーテルオリゴマー、グリシジルエーテルエポキシ樹脂、脂環式エポキシ樹脂、オキセタン樹脂、アクリル系マレイミド樹脂、ポリエステルマレイミド樹脂、ポリエーテルマレイミド樹脂等が使用されるが、好ましくは反応開始剤が不要なマレイミド系樹脂（アクリル系マレイミド樹脂、ポリエステルマレイミド樹脂、ポリエーテルマレイミド樹脂）単独もしくはマレイミド系樹脂とアクリル系樹脂との組合せが使用される。尚、組合せる樹脂は光硬化樹脂であれば特に限定されない。
また、本考案の光硬化型粘接着組成物には適宜、反応開始剤、粘着付与樹脂（タッキファイヤー）、酸化防止剤、老化防止剤、着色剤、可塑剤、オイル、界面活性剤等を添加することもできる。
本考案の光硬化型粘接着絆創膏の形状は傷に貼付できれば、その形状は特に限定しない。
【産業上の利用可能性】
【０００９】
本考案は絆創膏として利用することができる。
【符号の説明】
【００１０】
１．シート用基材
２．光硬化型粘接着組成物
３．光硬化型絆創膏
【図１】
0003209781.tif 000003
(57)【要約】      （修正有）【課題】下肢障害者の移動手段である車椅子の不便さを解消すると同時に、下肢障害者や手の握力が弱い四肢麻痺患者の行動範囲を拡げ、社会への参加意欲向上の一助となるべく、一人で簡単に移乗出来てしかも長距離を移動出来る手で漕ぐ３輪自転車ハンドバイクを提供する。【解決手段】車椅子から移乗しやすいようにシート高を地面よりも４００ｍｍ高い位置に設置することで車椅子の椅子と同じ高さにし、握力がない四肢麻痺患者の方でも乗れるように、ブレーキレバーを握らず止めることができ、クランクを前に回すと前に進み、後ろに回すとブレーキがかかる「コースターブレーキ」を採用、またクランクに固定されたハンドルに「コンフォートグリップ」を装着することでブレーキレバーやグリップを握ることなくハンドル操作が出来るハンドバイクを実現する。【選択図】図４
0003209675.tif 000002
【実用新案登録請求の範囲】
【請求項１】
コースターブレーキとコンフォートグリップ搭載のハンドルを使用した手で漕ぐ３輪自転車ハンドバイク
【考案の詳細な説明】
【技術分野】
【０００１】本考案は、下肢障害者に向けたコースターブレーキ及びコンフォートグリップを搭載した、脚を使わず手だけで操作可能な３輪自転車ハンドバイクに関する。
【背景技術】
【０００２】現在、下肢障害者にとっての移動手段は「車いす」が主流であるが、車いすはたった数センチの段差があっただけで動けなくなったり、砂利道では一切自力で動くことが出来ない。また坂道が多い日本国内においては、車いすに乗って坂道を１人で移動する事は非常に困難な乗り物である。
【考案の概要】
【考案が解決しようとする課題】
【０００３】ハンドバイク自体は１９８０年代から主に欧州で開発されてきたが、従来のハンドバイクは、車いすに前輪だけを取り付ける「アダプター式」と、フレームと３輪タイヤが一体となった「完成車式」の２種類だけだった。
アダプター式は変速機がギアしか無いので、車椅子同様１人で坂道を上れなかったり、完成車式はレース用に特化している為、パラリンピックに出場するようなアスリートしか乗れなかったので、ほとんどの車椅子ユーザー、特に、怪我や病気などで中途障害になった方にとっては、既存のハンドバイクに乗ることができなかった。
また、いずれのハンドバイクもブレーキレバー方式なので、ブレーキをかける時はブレーキを握る動作が必要である。
【課題を解決するための手段】
【０００４】本考案は、車椅子から移乗しやすいようにシート高を地面よりも約４００ｍｍ高い位置に設置することで車椅子の椅子と同じ高さにし、握力がない四肢麻痺患者の方でも乗れるように、ブレーキレバーを握らず止めることができる「コースターブレーキ」を採用、またハンドルに「コンフォートグリップ」を装着することでブレーキレバーやグリップを握ることなく、ハンドル操作を可能にするハンドバイクを実現する事で、上記課題を解決するものである。
コースターブレーキとは、クランク（ペダルの回転部分）を前に回せば前に進み、後ろに回すとブレーキがかかるシステムになっているので、止まるときにブレーキレバーを握る動作は不要である。
【考案の効果】
【０００５】本考案に係るハンドバイクは、高度な溶接技術を必要とする半導体製造装置や食品加工機械の配管溶接を手懸ける弊社の高い技術力で、メインフレーム１２や上フォーク５・下フォーク１０など複雑で強度が必要なパーツを自社で製造する事ができる。
また、様々な加工業者との「ものづくりネットワーク」がある強みを生かして、実用性に優れたハンドバイクの製造ができる。
最大の優位性としては、自社で製造するので１人１人の障害の程度や体格に合わせたカスタマイズが出来る事である。
【図面の簡単な説明】
【０００６】
【図１】本考案に係るハンドバイクを正面から見た図である。
【図２】本考案に係るハンドバイクを後面から見た図である。
【図３】本考案に係るハンドバイクの運転姿勢を示した図である。
【図４】本考案に係るコースターブレーキを搭載したハンドバイクの操作方法を示した図である。
【図５】本考案に係るコンフォートグリップの説明を明記した図である。
【考案を実施するための形態】
【０００７】以下本考案の形態を示す図面に基づき説明する。
【０００８】図１に示すように、メインフレーム１２前方に、上フォーク５と下フォーク１０とフロントタイヤ９を固定する。メインフレーム１２前方に、上フォーク５と下フォーク１０はステム４で固定されている。
コースターハブ７と前リム６はスポーク８で固定されていて、フロントタイヤ９として構成されている。
運転者が座るシート１４は座面・背もたれが一体となったクッション１３が接着されており、同じくメインフレームに取り付けられており、脚はペグ１１に乗せる。
クランク１はボトムブラケット２２で上フォーク５と固定されている。
運転者は操作する際、ハンドル２についているグリップ２１を握って操作する。
クランク１とコースターハブ７をチェーン３でつなぎ、クランク１を前に回すことで前進し、後ろに回すことでブレーキがかかるのが、このハンドバイクの特徴である。
【０００９】図２に示すように、メインフレーム１２の後方には、後ハブ１９と後リム１７がスポーク１５で固定しリアタイヤ２０を取り付けることで、２本のリアタイヤ１６及び２０として構成されている。右後タイヤにはディスクブレーキ台座１８が取り付けてあるので、後ろブレーキを取り付けることも可能。
【００１０】図３に示すように、運転者はシートに腰掛けグリップに手を添え、脚はペグに乗せる。
【００１１】図４に示すように、クランクを前に回すと前進し、後ろに回すとブレーキがかかる。
【００１２】図５に示すように、グリップエンドのバー部分に手を添える。
【００１３】上記工程により完成したハンドバイクを下肢障害者のリハビリや日常生活で活用する事で、彼らの行動範囲を拡げ、下肢障害者の自立支援に貢献できると考える。
【符号の説明】
【００１４】１  クランク
２  ハンドル
３  チェーン
４  ステム
５  上フォーク
６  前リム
７  コースターハブ
８  スポーク
９  フロントタイヤ
１０  下フォーク
１１  ペグ
１２  メインフレーム
１３  クッション
１４  シート
１５  スポーク
１６  リアタイヤ
１７  後リム
１８  後ハブ
１９  リアタイヤ
２０  コンフォートグリップ
２１  ボトムブラケット
【図１】
0003209675.tif 000003
【図２】
0003209675.tif 000004
【図３】
0003209675.tif 000005
【図４】
0003209675.tif 000006
【図５】
0003209675.tif 000007
【手続補正書】
【提出日】平成29年1月16日(2017.1.16)
【手続補正１】
【補正対象書類名】実用新案登録請求の範囲
【補正対象項目名】全文
【補正方法】変更
【補正の内容】
【実用新案登録請求の範囲】
【請求項１】
クランクを前に回すと前に進み、後ろに回すとブレーキがかかるコースターブレーキと、前記クランクに固定されたハンドルとを備え、前記ハンドルについているグリップのグリップエンドにエンドバーが付いている、３輪自転車ハンドバイク。
(57)【要約】      （修正有）【課題】風が吹いても干し竿から外れて落ちたり飛んだりしてしまうのを防止することができる物干し用Ｗフックを提供する。【解決手段】ハンガーフック本体に補助フックを重ね合わせて、支点となる箇所に自在に動くようにした止め具を取り付け、洗濯物を干し竿に掛けた時に重量で補助フックの先端が干し竿の直径よりも狭まるようにして外れなくすることで、構成している。【選択図】図１
0003209678.tif 000002
【実用新案登録請求の範囲】
【請求項１】
ハンガーのフック本体に補助フックを重ね合わせて、支点となる箇所に自在に動くようにした止め具を取り付けたＷフック。
【請求項２】
フックを重ね合わせた先端部分が容易に開閉できるようにして、竿に掛けた時にその先端が竿の直径より狭まる働きをするようにした請求項１記載のＷフック。
【考案の詳細な説明】
【技術分野】
【０００１】  本考案は、ハンガー本体のフック部分に補助フックを重ね合わせた、ハンガーの形状に関する。
【背景技術】
【０００２】  従来のハンガーフックは、干し竿に掛けるだけの機能しかないために、フックは半円形、または逆Ｕ字形をした形状のままで構成されている。【０００３】  しかしながら、従来のハンガーで洗濯物を竿に掛けて干した場合は、風が吹くと竿から外れて落ちたり飛んだりするという欠点があった。
【考案の概要】
【考案が解決しようとする課題】
【０００４】  本考案は、以上のような従来の欠点に鑑み、洗濯物を野外の竿に掛けても風で落ちたり飛んだりしないような機能を提供することを目的としている。
【課題を解決するための手段】
【０００５】  上記目的を達成するために、本考案はハンガーフック本体に補助フックを重ね合わせて、支点となる箇所に自在に動くようにした止め具を取り付け、竿に掛けた時に、補助フックの先端が洗濯物の重量で竿の直径よりも狭まるように構成している。
【考案の効果】
【０００６】  以上の説明から明らかなように、本考案にあっては次に列挙する効果が得られる。
（１）ハンガーフック本体に補助フックを重ね合わせて、支点となる箇所に自在に動くよ      うにした止め具の構成要件とで構成されているので、洗濯物を竿に掛けた時に補助      フック部分が洗濯物の重さで竿の直径よりも狭めることができる。
したがって、風が吹いても洗濯物が干し竿から落ちたり飛んだりするのを防ぐことができる。【０００７】（２）前記（１）によって、従来のハンガーフックが半円形、または逆Ｕ字型になっているだけで竿から外れやい難点があったが、それを解決することができる。【０００８】（３）請求項２、補助フックの先端部分が容易に開閉できるようにして、竿に掛けた時にフックの先端が竿の直径より狭まる働きをするのも（１）〜（３）と同様な効果を得られる。
【図面の簡単な説明】
【０００９】
【図１】本考案を実施するための最良の第１の形態のフック正面図である。
【図２】ハンガー本体のフックの正面図
【図３】ハンガーのフック本体に取り付けるフックの正面図
【図４】ハンガー本体のフックとフックを取り付ける止め具、及びハンガー本体のフックａとフックを重ね合わせた状態の側面図
【考案を実施するための形態】
【００１０】  請求項１により、図１に示す如く、図２のハンガー本体のフックと図３の補助フックが重ね合わさった状態を示し、図３が自在に動くよう支点に図４の止め具を取り付けて、干し竿に掛けた時に洗濯物の重さで補助フックがせり上がり、その先端部分が干し竿に巻き付くような機能を有する。
【符号の説明】
【０００１１】１  ハンガー本体のフックに補助フックを取り付けた正面図
２  ハンガー本体のフック
３  止め具用の穴
４  ハンガー本体に取り付ける補助フックの正面図
５  止め具用の穴
６  ２と４を固定する止め具の側面図
７  ハンガー本体のフック部分の側面図
８  ハンガー本体に取り付けられた補助フックの側面図
９  ハンガー本体と補助フックを重ねて固定した止め具の側面図
【図１】
0003209678.tif 000003
【図２】
0003209678.tif 000004
【図３】
0003209678.tif 000005
【図４】
0003209678.tif 000006